(57)【要約】基地局から移動局へパケットデータの伝送が完了した後、基地局と移動局との間のデータ通信がない状態で基地局のパケットデータ伝送方法が開示される。このような方法は、パケットデータの伝送が完了した後、伝送されるパケットデータを受信するために、移動局へデータレート要請（ＤＲＱ）メッセージを伝送するステップと、移動局からデータレート要請メッセージの検出応答信号に応答して所定時間の間応答メッセージを移動局へ伝送するステップと、応答メッセージの伝送後、電力制御信号を伝送するとともに移動局から受信されたデータレートメッセージに基づいたデータレートでパケットデータを伝送するステップとを含む。
2004518351.tif 000002
【特許請求の範囲】
【請求項１】
パケットデータの伝送を支援する移動通信システムでの基地局装置において、
基地局と移動局との間にデータ通信がない状態で伝送するパケットが発生した場合、データレートの伝送を要請するデータレート要請（ｄａｔａ ｒａｔｅ ｒｅｑｕｅｓｔ；ＤＲＱ）メッセージを発生する制御器と、
前記制御器から発生される前記データレート要請メッセージを前記移動局へ伝送するチャンネル送信器と
を含むことを特徴とする基地局装置。
【請求項２】
前記データレート要請メッセージは、所定数の同一な電力制御ビットで構成されることを特徴とする請求項１記載の基地局装置。
【請求項３】
前記チャンネル送信器は、移動局の送信電力を制御するための電力制御ビットを伝送するための共通電力制御チャンネル（ｓｈａｒｅｄ ｐｏｗｅｒ ｃｏｎｔｒｏｌ ｃｈａｎｎｅｌ；ＳＰＣＣＨ）送信器であることを特徴とする請求項１記載の基地局装置。
【請求項４】
前記制御器は、前記移動局から前記データレート要請メッセージの検出応答信号に応答して応答メッセージを前記チャンネル送信器に提供することを特徴とする請求項１記載の基地局装置。
【請求項５】
前記応答メッセージは、所定数の同一な電力制御ビットで構成されることを特徴とする請求項４記載の基地局装置。
【請求項６】
前記制御器は、前記応答メッセージの伝送後、前記移動局の送信電力を制御するための電力制御ビットを前記チャンネル送信器に提供することを特徴とする請求項４記載の基地局装置。
【請求項７】
パケットデータの伝送を支援する移動通信システムでの移動局装置において、
パケットデータの通信が完了した後、基地局へ伝送される逆方向信号を所定の規則によって断続するための断続信号を発生し、前記断続による前記基地局と前記移動局との間のデータ通信がない状態で前記基地局からデータレートの伝送を要請するデータレート要請メッセージの受信のとき、前記逆方向信号の伝送を直ちに再開するための前記断続信号を発生する断続信号発生器と、
前記断続信号発生器からの前記断続信号によって前記逆方向信号を断続するための制御器と、
前記制御器からの前記制御信号によって前記基地局へ伝送される前記逆方向信号を断続して伝送する送信器と
を含むことを特徴とする移動局装置。
【請求項８】
前記制御器は、前記逆方向信号の送信を再開するとき、前記逆方向信号の送信電力を予め決定された初期アクセス電力から徐々に増加された電力で伝送されることができるように前記逆方向信号の電力制御信号を前記送信器に提供することを特徴とする請求項７記載の移動局装置。
【請求項９】
前記制御器は、前記逆方向信号の伝送に応答する応答メッセージを受信した後、基地局から受信される電力制御ビットによって前記逆方向信号の伝送が電力を制御することができるように前記逆方向信号の電力制御信号を前記送信器に提供することを特徴とする請求項７記載の移動局装置。
【請求項１０】
前記データレート要請メッセージは、所定数の同一な電力制御ビットで構成されることを特徴とする請求項７記載の移動局装置。
【請求項１１】
前記応答メッセージは、所定数の同一な電力制御ビットで構成されることを特徴とする請求項９記載の移動局装置。
【請求項１２】
前記データレート要請メッセージと前記応答メッセージは、順方向共通電力制御チャンネル（ＳＰＣＣＨ）を通じて受信されることを特徴とする請求項１１記載の移動局装置。
【請求項１３】
基地局と移動局との間のデータ通信がない状態で基地局のパケットデータの伝送方法において、
前記パケットデータを伝送するために、データレート要請メッセージを前記移動局へ伝送するステップと、
前記移動局から前記データレート要請メッセージの検出応答信号に応答して所定時間の間、応答メッセージを前記移動局へ伝送するステップと、
前記応答メッセージの伝送後、電力制御信号を伝送するとともに前記パケットデータを伝送するステップと
を含むことを特徴とするパケットデータの伝送方法。
【請求項１４】
前記移動局から前記データレート要請メッセージの検出応答信号が受信されないとき、前記伝送するパケットデータを中断するステップをさらに含むことを特徴とする請求項１３記載のパケットデータの伝送方法。
【請求項１５】
前記移動局から前記データレート要請メッセージの検出応答信号が受信されないとき、前記データレート要請メッセージの伝送を所定時間中断した後、前記データレート要請メッセージの伝送を反復するステップと、
前記データレート要請メッセージの伝送回数が所定の回数になるように前記検出応答信号が受信されないと、前記伝送するパケットデータを中断するステップをさらに含むことを特徴とする請求項１３記載のパケットデータの伝送方法。
【請求項１６】
前記データレート要請メッセージは、所定の同一な電力制御ビットで構成されることを特徴とする請求項１３記載のパケットデータの伝送方法。
【請求項１７】
前記応答メッセージは、所定の同一な電力制御ビットで構成されることを特徴とする請求項１３記載のパケットデータの伝送方法。
【請求項１８】
パケットデータの伝送を支援する移動通信システムでの移動局のパケットデータの伝送方法において、
パケットデータの通信が完了した後、基地局へ伝送される逆方向信号を所定の規則によって断続するステップと、
前記基地局と前記移動局との間のデータ通信がない状態で前記基地局から前記データレートの伝送を要請するデータレート要請メッセージ受信のとき、前記逆方向伝送を再開するステップと
を含むことを特徴とするパケットデータの伝送方法。
【請求項１９】
前記逆方向伝送を再開すると、前記逆方向信号は、所定時間の間予め決定された初期アクセス電力から徐々に増加された電力で伝送されることを特徴とする請求項１８記載のパケットデータの伝送方法。
【請求項２０】
前記基地局から前記逆方向伝送に応答する応答メッセージの受信のとき、前記基地局から受信される電力制御ビットによって前記逆方向信号の伝送電力を制御するステップをさらに含むことを特徴とする請求項１８記載のパケットデータの伝送方法。
【請求項２１】
前記基地局から前記逆方向信号の伝送に応答する応答メッセージが受信されないと、前記所定時間の間行われる逆方向信号の伝送を反復するステップと、
前記逆方向信号の伝送回数が予め定められた回数になるように前記応答メッセージが受信されないと、パケット通信を中断するステップとをさらに含むことを特徴とする請求項１８記載のパケットデータの伝送方法。
【請求項２２】
前記基地局から前記逆方向信号の伝送に応答する応答メッセージが受信されないと、前記所定時間の間行われる逆方向信号の伝送を反復するステップと、
前記逆方向信号の伝送回数が予め定められた回数になるとき、前記逆方向信号の伝送を所定の時間の間一時中断した後再開して前記応答メッセージの受信を検査するステップと、
前記中断した回数が所定回数に到達するように前記応答メッセージが受信されないとパケット通信を中断するステップとをさらに含むことを特徴とする請求項１８記載のパケットデータの伝送方法。
【請求項２３】
前記データレート要請メッセージは、所定数の同一な電力制御ビットで構成されることを特徴とする請求項１８記載のパケットデータの伝送方法。
【請求項２４】
前記応答メッセージを所定数の同一な電力制御ビットで構成されることを特徴とする請求項２０記載のパケットデータの伝送方法。
【発明の詳細な説明】
【０００１】
【発明の属する技術分野】
本発明は、移動通信システムでのデータ伝送率制御チャンネルを伝送するための装置及び方法に関し、特に、データ伝送率制御チャンネルを断続的に伝送するための装置及び方法に関する。
【０００２】
【従来の技術】
通常、パケットデータ伝送のための移動通信システム（以下、“パケット伝送移動通信システム”と称する）は、データチャンネルのみを支援する形態とデータチャンネルのみならず音声チャンネルを同時に支援する形態とに大別されることができる。前記データチャンネルのみを支援する形態のパケット伝送移動通信システムは、例えば、“ＩＭＴ−２０００（Ｉｎｔｅｒｎａｔｉｏｎａｌ Ｍｏｂｉｌｅ Ｔｅｌｅｃｏｍｍｕｎｉｃａｔｉｏｎ ２０００）１ｘＥＶ／ＤＯ（Ｅｖｏｌｕｔｉｏｎ／Ｄａｔａ Ｏｎｌｙ）システム”があり、データチャンネルのみならず音声チャンネルを同時に支援するパケット伝送移動通信システムは、“ＩＭＴ−２０００１ｘＥＶ／ＤＶ（Ｅｖｏｌｕｔｉｏｎ／Ｄａｔａ ａｎｄ Ｖｏｉｃｅ）システム”がある。
【０００３】
一方、前記のようなパケットデータ移動通信システムは、データを伝送するために、多数の使用者が同一のチャンネルを時分割多重化（Ｔｉｍｅ Ｄｉｖｉｓｉｏｎ Ｍｕｌｔｉｐｌｅｘｉｎｇ；以下、“ＴＤＭ”と略称する）して使用する。このとき、前記パケット伝送移動通信システムでは、共通的に移動局が順方向チャンネル状態を測定してこれによるデータ伝送率を決定して一定のスロットごと基地局へ伝送し、前記基地局は、前記受信されたデータ伝送率情報に基づいたデータ伝送率を制御した後、前記制御されたデータ伝送率で良好なチャンネル状態で移動局にのみデータを伝送する。
【０００４】
図１は、従来技術によるパケットデータ伝送方式を適用する移動通信システムで、基地局と特定の移動局との間に送受信するパケットデータがないとき、パケット通信に関連した順方向及び逆方向チャンネルの構造を示す。
【０００５】
図１を参照すると、基地局と移動局との間に送受信するパケットデータがないと、移動局は、逆方向リンクを通じてデータレート要求（Ｄａｔａ Ｒａｔｅ Ｒｅｑｕｅｓｔ；以下、ＤＲＱと略称する）サブチャンネル（Ｓｕｂｃｈａｎｎｅｌ）及び選択セクタ指示者（Ｓｅｌｅｃｔｅｄ Ｓｅｃｔｏｒ Ｉｎｄｉｃａｔｏｒ；以下、ＳＳＩと略称する）サブチャンネルを伝送する。そして、基地局は、順方向リンクを通じて移動局の逆方向伝送電力を制御するための共通電力制御チャンネル（Ｃｏｍｍｏｎ Ｐｏｗｅｒ Ｃｏｎｔｒｏｌ ＣｈａｎｎｅｌまたはＳｈａｒｅｄ Ｐｏｗｅｒ Ｃｏｎｔｒｏｌ Ｃｈａｎｎｅｌ）を伝送する。
【０００６】
前記“ＤＲＱ”は、現在の順方向チャンネル状態によって決定される移動局からサービスを受けることができる順方向データ伝送率を意味する。基地局は、移動局でスロット（１．２５ｍｓ単位）ごと伝送する前記ＤＲＱを参照して、適切なデータ伝送率でパケットデータを伝送する。前記ＳＳＩは、移動局で順方向チャンネル状態が一番よい基地局を指定するためのもので、ＤＲＱと対をなして逆方向リンクを通じて伝送される。ここで、前記ＤＲＱ及びＳＳＩは、同一の時間に同位相チャンネル（Ｉｎ−ｐｈａｓｅ ｃｈａｎｎｅｌ；Ｉ−ｃｈ）と直交位相チャンネル（Ｑｕａｄｒａｔｕｒｅ−ｐｈａｓｅ ｃｈａｎｎｅｌ；Ｑ−ｃｈ）とを通じて伝送される。一方、順方向チャンネルを通じて伝送される前記共通電力制御チャンネルＳＰＣＣＨは、基地局と接続しているすべての移動局が共通使用するチャンネルとして、それぞれの移動局へ伝送される電力制御ビットを時間的に相互異なる位置に挿入して伝送する。
【０００７】
前述したように、移動局は、送受信するパケットデータがなくてもスロット単位（１．２５ｍｓ）で順方向チャンネル状態を測定して、これに対するＤＲＱ及びＳＳＩを決定して伝送する。このような過程で、順方向ＳＰＣＣＨを通じて伝送される電力制御命令によって逆方向伝送電力を調節する。すなわち、実際伝送するデータがないにもかかわらず、持続的に逆方向伝送を遂行しなければならない。
【０００８】
すなわち、従来技術による問題点を要約すると、移動局は、パケットデータ伝送チャンネルが開いていると、実際に送受信するデータがないとしても、決定されたデータ伝送率を報告するための逆方向伝送を継続して遂行しなければならない。従って、移動局の電力消耗が増加するようになる。例えば、使用者がパケットデータチャンネルを利用してインターネット検索またはウェブブラウジング（ｗｅｂ ｂｒｏｗｓｉｎｇ）を遂行する場合、パケット送受信は非常に断続的に発生することができる。このような状態でも、移動局がデータ伝送率を持続的に決定し、逆方向リンクを通じて前記決定されたデータ伝送率を伝送することは、限定された電力を使用する移動局には電力消耗という面でかなり致命的である。
【０００９】
【発明が解決しようとする課題】
従って、本発明の目的は、パケットデータサービスを支援する移動通信システムで逆方向伝送を断続するための装置及び方法を提供することにある。
【００１０】
本発明の他の目的は、パケットデータサービスを支援する移動通信システムで順方向チャンネル状態情報を伝送するための逆方向チャンネルを断続するための装置及び方法を提供することにある。
【００１１】
【課題を解決するための手段】
前記のような目的を達成するために、本発明は、基地局と移動局との間のデータ通信がない状態で基地局のパケットデータの伝送方法において、前記パケットデータを伝送するために、データレート要請メッセージを前記移動局へ伝送するステップと、前記移動局から前記データレート要請メッセージの検出応答信号に応答して所定時間の間応答メッセージを前記移動局へ伝送するステップと、前記応答メッセージの伝送後、電力制御信号を伝送するとともに前記パケットデータを伝送するステップとを含むことを特徴とする。
【００１２】
また、本発明は、パケットデータの伝送を支援する移動通信システムでの移動局のパケットデータの伝送方法において、パケットデータの通信が完了した後、基地局へ伝送される逆方向信号を所定の規則によって断続するステップと、前記基地局と前記移動局との間のデータ通信がない状態で前記基地局から前記データレートの伝送を要請するデータレート要請メッセージ受信のとき、前記逆方向伝送を再開するステップとを含むことを特徴とする。
【００１３】
【発明の実施の形態】
以下、本発明に従う好適な実施形態について添付図面を参照しつつ詳細に説明する。下記説明において、本発明の要旨のみを明確にする目的で、関連した公知機能または構成に関する具体的な説明は省略する。
【００１４】
図２は、本発明の実施形態によるパケットデータサービスを支援する移動通信システムで基地局と特定の移動局との間に送受信するパケットデータがないとき、逆方向伝送を断続する順方向及び逆方向チャンネルの構造を示す。前記移動通信システムで、パケットの送受信がない状態での逆方向チャンネルは、従来技術でも説明したように、ＤＲＱサブチャンネル及びＳＳＩサブチャンネルが存在する。以下、説明の便宜上、ＤＲＱサブチャンネルのみを説明するものとする。
【００１５】
図２を参照すると、パケット送受信が完了した時点Ｔ１から所定時間Ｔｍ１（または逆方向伝送期間）が経過するときまでパケット送受信がないと、移動局は逆方向伝送を中断する。しかし、移動局は、順方向チャンネル状態を持続的に監視して基地局との同期を保持するようにする。逆方向伝送を中断した時点Ｔ２から所定時間Ｔｓ（または逆方向伝送中断期間）が経過すると、移動局は、逆方向伝送をさらに試みて基地局へ順方向チャンネル状態を報告する。しかし、逆方向伝送をさらに始めた時点Ｔ３から所定時間Ｔｐ＋Ｔｍ１が経過するときまでパケット送受信がなければ、移動局は、前記時間Ｔｓの間逆方向伝送を中断することをさらに反復する。ここで、前記Ｔｐは、移動局が逆方向伝送を再開したとき、基地局が移動局の信号を感知する時間を考慮した時間である。すなわち、前述したように、本発明は、基地局と移動局との間にパケット送受信がなければ、移動局は、断続モードへ進入して逆方向信号を断続的に伝送する。
【００１６】
図３は、本発明の実施形態による移動局が逆方向伝送を再開するとき、基地局が移動局の信号を容易に感知することができるようにする移動局の伝送方法を示す。逆方向伝送を中断した後、移動局は、逆方向チャンネル状態がどのように変わったかが分からない。このような状況で、移動局が逆方向伝送を中断する前に使用した同一の伝送電力で逆方向伝送を再開すると、前記移動局の信号が他の移動局の逆方向通信と干渉することができる。
【００１７】
このような問題点を解決するために、図３に示すように、ＤＲＱ伝送に先行して、移動局は、プリアンブルを低い電力から徐々に電力を上げて伝送した後、基地局から逆方向伝送の感知を示すＡＣＫ（Ａｃｋｎｏｗｌｅｄｇｅｍｅｎｔ）信号（ＤＲＱに対するＡＣＫ）を受信すると、基地局から伝送された電力制御ビットに基づいた伝送電力を制御して前記ＤＲＱを伝送する。図２に示すように、逆方向伝送に対するＡＣＫ信号を受信した後、前記時間Ｔｍ１の間パケット送受信がなければ、移動局は、逆方向伝送をさらに一時中断する。ここで、前記プリアンブルは、基地局が逆方向信号を容易に補足することができるように、移動局は、逆方向パイロットチャンネルを通じて前記プリアンブルを伝送する。
【００１８】
図４は、本発明の他の実施形態によるプリアンブルを利用することなく逆方向伝送電力を制御するための方法を示す。これは、図３の変形された方法である。この場合、移動局は、所定時間Ｔｐの間ＤＲＱを低い電力から徐々に伝送電力を上げて伝送した後、基地局から逆方向伝送の感知を示すＡＣＫ信号を受信すると、基地局から伝送された電力制御ビットによる伝送電力を制御して前記ＤＲＱを伝送する。その後、逆方向伝送に対するＡＣＫ信号を受信した後、前記時間Ｔｍ１の間パケット送受信がなければ、移動局は、逆方向伝送をさらに一時中断する。
【００１９】
図５は、本発明の実施形態による基地局から移動局へ伝送するパケットデータの生成のときデータレートを要請する方式を示す。
【００２０】
図５を参照すると、移動局が逆方向伝送を一時中断した後、逆方向伝送中断期間Ｔｓが経過する前に、基地局から移動局へ伝送するパケットデータが発生すると、基地局は、順方向データレートを決定するために移動局から順方向チャンネル状態によるＤＲＱが報告されなければならない。このために、本発明は、ＤＲＱの伝送を基地局が移動局へ要請するＤＲＱ報告指示ビット（ＤＲＱ ｒｅｐｏｒｔ ｄｉｒｅｃｔｉｏｎ ｂｉｔ）を定義する。示すように、移動局は、基地局からＤＲＱ報告指示ビットを受信すると、すぐ逆方向伝送を再開してＤＲＱを基地局へ伝送する。
【００２１】
前述したように、本発明は、逆方向伝送を断続的に制御するために“ＤＲＱ報告指示ビット”及び逆方向伝送に対する“ＡＣＫ信号”を定義している。前記ＤＲＱ報告指示ビット及び逆方向伝送に対するＡＣＫ信号は、すべての移動局を区別して伝送しなければならない。このために、チャンネルを新たに生成することもできるが、本発明では、既存のチャンネルを活用する方法を提案する。特に、本発明は、移動局別に区別が可能な共通電力制御チャンネル（Ｓｈａｒｅｄ Ｐｏｗｅｒ Ｃｏｎｔｒｏｌ Ｃｈａｎｎｅｌ；ＳＰＣＣＨ）の使用を提案する。
【００２２】
図６は、本発明の実施形態による共通電力制御チャンネル（ＳＰＣＣＨ）を伝送するための順方向リンク送信器の構成を示す。図６に示すＳＰＣＣＨ送信器を通じて逆方向物理チャンネルに対する伝送電力をスロット単位で制御することができる。このとき、前記ＳＰＣＣＨは、第１チャンネルＩ−ｃｈと第２チャンネルＱ−ｃｈとに分けられ、前記第１チャンネルＩ−ｃｈ及び第２チャンネルＱ−ｃｈを通じてそれぞれ８個の逆方向物理チャンネルに対する電力制御命令を伝送することができる。すなわち、前記ＳＰＣＣＨの第１チャンネルＩ−ｃｈには、８個の逆方向物理チャンネルに対する電力制御命令ビットがマルチプレキシングされ、第２チャンネルＱ−ｃｈにも８個の逆方向物理チャンネルに対する電力制御命令ビットがマルチプレキシングされる。マルチプレキシングのために８個の逆方向物理チャンネルのそれぞれに対して相互異なる初期オフセット（ｉｎｉｔｉａｌ ｏｆｆｓｅｔ）が与えられる。例えば、前記第１チャンネルＩ−ｃｈに対しては、初期オフセット０〜７が与えられ、前記第２チャンネルＱ−ｃｈに対しては、初期オフセット８〜１５が与えられる。
【００２３】
図６を参照すると、ロングコード発生器（Ｌｏｎｇ Ｃｏｄｅ Ｇｅｎｅｒａｔｏｒ）４０１は、ＳＰＣＣＨのためのロングコードマスク（Ｌｏｎｇ Ｃｏｄｅ Ｍａｓｋ）を受信し、ロングコードとして１．２２８８ＭＨｚのクロックを発生する。前記デシメーター４０２は、ロングコード発生器４０１から提供された入力シンボルのデシメーションを行う。例えば、前記デシメーター４０２は、１９２個の入力シンボルごと１個のシンボルを出力することができる。このとき、前記デシメーター４０２の出力信号は、入力信号より１９２倍低いクロックで駆動される。前記デシメーター４０２の出力信号は、相対オフセット計算器（ｒｅｌａｔｉｖｅ ｏｆｆｓｅｔ ｃａｌｃｕｌａｔｏｒ）４０３へ入力される。前記相対オフセット計算器４０３は、前記デシメーター４０２の出力シンボルから相対的なオフセットを計算する。
【００２４】
マルチプレクサー４１１は、８個の逆方向物理チャンネルに対する初期オフセット０〜７と相対オフセット計算器４０３の出力を利用して８個の逆方向物理チャンネルに対する電力制御命令ビットをマルチプレキシングする。前記マルチプレクサー４１１は、６，４００ｂｐｓのデータレートを有する信号を出力することができる。シンボル反復器４１２は、前記マルチプレクサー４１１の出力シンボルを受信し、前記受信されたシンボルを２回反復（ｆａｃｔｏｒ ＝ Ｘ３）する。前記シンボル反復器４１２からの出力シンボルは、１９，２００ｂｐｓを有することができる。前記シンボル反復器４１２の出力シンボルは、信号点写像器４１３へ入力される。前記信号点写像器４１３は、入力シンボルのうち、シンボル‘０’は‘＋１’に、シンボル‘１’は‘−１’にマッピングして出力する。このとき、入力シンボルが存在しない場合、前記信号点写像器４１３は、‘０’を出力する。前記信号点写像器４１３の出力シンボルは、利得制御器４１４へ入力されて利得制御される。前記利得制御器４１４の出力シンボルは、ウォルシュ拡散器４１５へ入力され、ＳＰＣＣＨに割り当てられた特定な６４−ａｒｙウォルシュコードによって拡散される。前記ウォルシュ拡散器４１５から出力される信号は、ＳＰＣＣＨの第１チャンネル信号Ｉ−ｃｈとして、８個の逆方向物理チャンネルに対する電力制御命令ビットである。
【００２５】
マルチプレクサー４２１は、８個の逆方向物理チャンネルに対する初期オフセット８〜１５と相対オフセット計算器４０３の出力を利用して８個の逆方向物理チャンネルに対する電力制御命令ビットをマルチプレキシングする。前記マルチプレクサー４２１は、６，４００ｂｐｓのデータレートを有する信号を出力する。前記マルチプレクサー４２１の出力シンボルは、シンボル反復器４２２へ入力され、前記シンボル反復器４２２は、入力シンボルを２回反復して出力する。前記シンボル反復器４２２からの出力シンボルは、１９，２００ｂｐｓを有することができる。前記シンボル反復器４２２の出力シンボルは、信号点写像器４２３へ入力される。前記信号点写像器４２３は、入力シンボルのうち、シンボル‘０’は‘＋１’に、シンボル‘１’は‘−１’にマッピングして出力する。このとき、入力シンボルが存在しない場合、前記信号点写像器４２３は、‘０’を出力する。前記信号点写像器４２３の出力シンボルは、利得制御器４２４へ入力されて利得制御される。前記利得制御器４２４の出力シンボルは、ウォルシュ拡散器４２５へ入力され、ＳＰＣＣＨに割り当てられた特定な６４−ａｒｙウォルシュコードによって拡散される。前記ウォルシュ拡散器４２５から出力される信号は、ＳＰＣＣＨの第２チャンネル信号Ｑ−ｃｈとして、前記Ｉ−ｃｈを通じて電力制御される８個の逆方向物理チャンネルとは異なる８個の逆方向物理チャンネルに対する電力制御命令ビットである。ここで、本発明によるＳＰＣＣＨ送信器は、前記マルチプレクサー４１１及び４２１へ入力される電力制御ビットを制御して前記ＤＲＱ報告指示ビットと前記逆方向伝送に対するＡＣＫ信号を伝送する。例えば、特定な移動局へ同一の電力制御ビットを反復して伝送することによって、ＤＲＱ報告指示ビットを具現することができる。具体的な方法を説明すると、次のようである。
【００２６】
図７は、本発明の実施形態による共通電力制御チャンネルを利用して前記ＤＲＱ報告指示ビット及び逆方向伝送に対するＡＣＫ信号を伝送するための方法を示す。前述したように、パケットの送受信が完了した後、所定時間Ｔｍ１の間パケット送受信がなければ、移動局は、逆方向伝送を中断するので、基地局は、移動局に対する伝送電力を制御することができない。従って、基地局は伝送電力制御ビットを伝送しない。すなわち、移動局が逆方向伝送を一時中断するとき、基地局も順方向電力制御ビットの伝送を一時中断する。
【００２７】
ここで、逆方向伝送が終了された後、逆方向伝送中断期間が終わる前に、移動局へ伝送するパケットデータが発生すると、基地局は、電力制御ビットを電力増加命令（＋１）にして数回伝送する。ここで、説明の便宜上、個々の電力増加命令は、“ＤＲＱ報告指示ビット”と称され、反復して伝送される電力増加命令のグループは、“データレート要請（ＤＲＱ）メッセージ”と称される。順方向共通電力制御チャンネルを監視しているうち、電力制御ビットが感知されると、移動局は、電力増加命令の個数をカウントする。前記連続して検出された電力増加命令の個数が所定数Ｎｍ１と同一であるか、または電力増加命令が所定の区間で集中的に検出されると、移動局は、基地局がＤＲＱを伝送したものと判断し、逆方向信号を低い電力から徐々に増加させることにより伝送する。前記移動局は、プリアンブルをまず伝送した後ＤＲＱチャンネルを伝送するか、またはＤＲＱチャンネルの伝送電力を徐々に増加させてＤＲＱチャンネルをすぐ伝送することもできる。
【００２８】
一方、逆方向信号が感知されると、基地局は、電力制御ビットを電力減少命令（−１）にして所定数Ｎｍ２反復して伝送する。ここで、個々の電力減少命令は、“ＡＣＫビット”と称され、反復して伝送される電力減少命令のグループは、“ＡＣＫメッセージ”と称される。前記連続して発生する電力減少命令の個数が所定数Ｎｍ２と同一であるか、または電力減少命令が所定の区間で集中的に発生すると、基地局が移動局の逆方向伝送を感知したものと判断し、移動局は、基地局から受信した電力制御ビットによって逆方向信号の伝送電力を制御する。
【００２９】
図８は、本発明の実施形態による基地局で共通電力制御チャンネル（ＳＰＣＣＨ）を通じてＤＲＱ報告指示ビット、ＡＣＫビット、及び電力制御ビットを伝送するための制御装置を示す。前記制御装置は、ＤＲＱ報告指示ビット、ＤＲＱに対するＡＣＫビット、及び電力制御ビットを受信し、前記制御装置から出力されるビットは、図６のマルチプレクサー４１１または４２１へ入力されて他の逆方向物理チャンネルに対する電力制御ビットとマルチプレキシングされる。
【００３０】
図８を参照すると、制御器８０１は、ＤＲＱ報告指示ビット、逆方向ＤＲＱに対するＡＣＫビット、及び電力制御ビットを受信し、制御信号発生器８０２の制御下に前記受信された情報ビットのうち１つを選択する。例えば、移動局が逆方向伝送を一時中断した状態で基地局から移動局へ伝送するパケットデータが発生すると、前記制御器８０１は、ＤＲＱ報告指示ビットを選択する。その後、基地局が逆方向ＤＲＱに対するＡＣＫを伝送する必要がある場合、前記制御器８０１は、ＡＣＫビットを選択する。また、正常的にパケット通信を遂行する場合、前記制御器８０１は、前記電力制御ビットを選択する。
【００３１】
具体的に、図９を参照すると、前記制御信号発生器８０２は、ＤＲＱ報告指示ビット指示信号（ＤＲＱ Ｒｅｐｏｒｔ Ｄｉｒｅｃｔｉｏｎ Ｂｉｔ Ｉｎｄｉｃａｔｏｒ Ｓｉｇｎａｌ）、逆方向ＤＲＱアクセス検出信号（Ｒｅｖｅｒｓｅ ＤＲＱ Ａｃｃｅｓｓ Ｄｅｔｅｃｔｏｒ Ｓｉｇｎａｌ）、及びパケットモード信号（Ｐａｃｋｅｔ Ｍｏｄｅ Ｓｉｇｎａｌ）を利用して、前記制御器８０１の選択動作を制御する。例えば、パケットモード信号（Ｐａｃｋｅｔ Ｍｏｄｅ Ｓｉｇｎａｌ）は、前記逆方向ＤＲＱアクセス検出信号が‘１’から‘０’に落ちる瞬間から‘１’を保持する。このような区間の間、前記制御信号発生器８０２は、前記制御器８０１が電力制御ビットを出力するように制御信号を発生させる。そして、前記パケットモード信号が‘１’になる瞬間から時間Ｔｍ１の間順方向伝送がなければ、制御信号発生器８０２は、パケットモード信号が‘０’に戻っていくように変更させて、制御器８０１は、電力制御ビットの伝送を一時中断する。
【００３２】
ＤＲＱ報告指示ビット指示信号（ＤＲＱ Ｒｅｐｏｒｔ Ｄｉｒｅｃｔｉｏｎ Ｂｉｔ Ｉｎｄｉｃａｔｏｒ Ｓｉｇｎａｌ）は、伝送すべきパケットデータが発生したとき‘１’になる。前記区間（すなわち、ＤＲＱ報告指示ビット区間）の間、前記制御信号発生器８０２は、前記制御器８０１がＤＲＱ報告指示ビットを出力するように制御信号を発生させる。そして、前記ＤＲＱ報告指示ビット指示信号は、前記逆方向ＤＲＱアクセス検出信号（Ｒｅｖｅｒｓｅ ＤＲＱ Ａｃｃｅｓｓ Ｄｅｔｅｃｔｏｒ Ｓｉｇｎａｌ）が‘１’になる瞬間に‘０’に落ちる。このような状態で、前記制御信号発生器８０２は、前記制御器８０１がＡＣＫビットを出力するように制御信号を発生させる。ここで、逆方向ＤＲＱを検出したとき、前記逆方向ＤＲＱアクセス検出信号が‘１’になった後所定時間の間保持される。前記制御信号発生器８０２は、前記逆方向ＤＲＱアクセス検出信号が前記‘１’に保持される時間の間、前記制御器８０１が前記ＡＣＫビットを出力するように制御信号を発生させる。
【００３３】
図１０は、本発明の実施形態による基地局がＤＲＱ報告指示ビット及び逆方向ＤＲＱ伝送に対するＡＣＫビットを伝送するための手順を示す。
【００３４】
図１０を参照すると、基地局は、ステップ１００１で、特定の移動局とパケット送受信を遂行し、ステップ１００３でパケット送受信が完了したか否かを検査する。前記パケット送受信が完了した後、前記基地局は、ステップ１００５へ進行して伝送する他のパケットがあるか否かを検査する。伝送する他のパケットがあると、基地局は、ステップ１０１９へ進行してプリアンブルを伝送した後、前記ステップ１００１へ戻ってパケットを伝送する動作を遂行する。しかし、伝送するパケットがない場合、基地局は、ステップ１００７へ進行してＴ１２５信号、すなわち１．２５ｍｓ基準信号をカウントした後、ステップ１００９で逆方向伝送期間Ｔｍ１が終了したか否かを検査する。前記期間Ｔｍ１が終了しなかったら、前記基地局は、前記ステップ１００５へ戻る。一方、前記期間Ｔｍ１が終了したら、前記基地局は、ステップ１０１１へ進行して共通電力制御チャンネルを通じて前記移動局へ伝送される電力制御ビットの伝送を一時中断する。
【００３５】
前記電力制御ビットの伝送を中断した後、前記基地局は、ステップ１０１３で伝送する他のパケットがあるか否かをさらに検査する。前記伝送する他のパケットがあると、前記基地局は、後に説明される図１１及び図１２の手順を遂行することにより、ＤＲＱ伝送を要請するデータレート要請メッセージを前記特定な移動局に伝送する。しかし、前記伝送するパケットがない場合、前記基地局はステップ１０１５へ進行して、前記特定な移動局が逆方向伝送を試みるか否かを検査する。前記移動局からの逆方向伝送（または逆方向ＤＲＱアクセス）が検出されると、前記基地局は、後に説明される図１３の手順を遂行することにより、逆方向伝送に対するＡＣＫメッセージを伝送する。しかし、移動局の逆方向伝送が検出されないと、基地局は、前記ステップ１０１３へ戻って伝送するパケットがあるか否かをさらに検査する。ここで、前記データレート要請メッセージは、基地局から移動局へ電力増加命令を持続的に伝送することによって具現されることができ、前記ＡＣＫメッセージは、基地局から移動局へ電力減少命令を持続的に伝送することによって具現されることができる。
【００３６】
図１１は、本発明の実施形態による電力制御ビット伝送中断区間で伝送するパケットがあるとき基地局の遂行過程を示す。前記電力制御ビット伝送中断区間は、基地局と移動局との間に何らの通信がない状態である。すなわち、基地局から移動局へ伝送される電力制御ビットの伝送が中断された状態であり、移動局から基地局へ伝送されるＤＲＱチャンネルの伝送も一時中断された状態である。
【００３７】
図１１を参照すると、前記電力制御ビット伝送中断区間でパケット伝送が要求されるとき、ステップ１１０１で、基地局は、前記移動局へＤＲＱチャンネルの伝送を要請するＤＲＱ報告指示ビットを伝送する。この後、ステップ１１０３で、前記基地局は、移動局からの逆方向信号が検出されるかを検査する。前記逆方向信号（または、逆方向ＤＲＱアクセス信号）が検出されると、前記基地局は、ステップ１１１１へ進行してＡＣＫビットを所定数連続して前記移動局へ伝送する。しかし、前記逆方向信号が検出されないと、前記基地局は、ステップ１１０５へ進行してＴ１２５の信号をカウントし、ステップ１１０７で所定の時間Ｔｄ１が経過したか否かを検査する。ここで、前記時間Ｔｄ１は、前記基地局が前記ＤＲＱ報告指示ビットを伝送する時間を意味する。前記時間Ｔｄ１が経過しなかったら、前記基地局は、前記ステップ１１０１へ戻って前記ＤＲＱ報告指示ビットを伝送する。しかし、前記時間Ｔｄ１が経過するように逆方向信号が検出されないと、前記基地局は、ステップ１１０９へ進行して前記移動局が順方向パケットデータを受信することができない状態であると判断してパケット呼を廃棄（Ｄｒｏｐ）する。
【００３８】
図１２は、本発明の実施形態による図１１の変形された手順を示す。データレート要請メッセージに対するＤＲＱ報告指示ビットを伝送するうち、移動局から逆方向伝送が検出されると、基地局は、ＡＣＫビットを伝送する。しかし、移動局から逆方向伝送が検出されないと、基地局は、パケット呼を廃棄する代わり、前記データレート要請メッセージに対するＡＣＫビットを検出することができない回数をカウントする。前記基地局は、前記カウントされた回数が特定な回数Ｎｄｒｑを超過する場合にのみ、パケット呼を廃棄する。
【００３９】
図１２を参照すると、前記電力制御ビット伝送中断区間でパケット伝送が要求されるとき、基地局は、ステップ１２０１でデータレート要請メッセージに対するＤＲＱ報告指示ビットを伝送した後、前記基地局は、ステップ１２０３で移動局からの逆方向信号があるか否かを検査する。前記逆方向信号（または逆方向ＤＲＱアクセス）が検出されると、前記基地局は、ステップ１２１９へ進行してＡＣＫビットを前記移動局へ伝送する。しかし、前記逆方向信号が検出されないと、前記基地局は、ステップ１２０５へ進行してＴ１２５の信号をカウントした後、ステップ１２０７で前記時間Ｔｄ１が終了したか否かを検査する。前記時間Ｔｄ１が終了しなかったら、前記基地局は、前記ステップ１２０１へ戻ってＤＲＱ報告指示ビットをさらに伝送する。
【００４０】
しかし、前記ＤＲＱ報告指示ビットを伝送した後、時間Ｔｄ１が経過するまで逆方向信号が検出されないと、前記基地局は、ステップ１２０９へ進行して前記ＤＲＱ報告指示ビットの伝送を中断し、ステップ１２１１へ進行して前記データレート要請メッセージを伝送した回数Ｎ１をカウントする。前述したように、前記データレート要請メッセージは、持続的に伝送されるＤＲＱ報告指示ビットを意味する。その後、前記基地局は、ステップ１２１３へ進行して前記データレート要請メッセージを伝送する回数Ｎ１が予め設定された回数Ｎｄｒｑを超過したか否かを検査する。前記データレート要請メッセージの伝送回数Ｎ１が前記設定回数Ｎｄｒｑを超過すると、前記基地局は、ステップ１２２１へ進行して移動局へ伝送するパケット呼を廃棄する。反面、前記基地局は、ステップ１２１５及びステップ１２１７を遂行して、一定時間Ｔｍ４の間待機しつつ逆方向信号が検出されるか否かを検査する。前記一定時間Ｔｍ４の間逆方向伝送が検出されないと、前記基地局は、前記ステップ１２０１へ戻ってＤＲＱ報告指示ビットを伝送した後、以下ステップを再遂行する。しかし、前記一定時間Ｔｍ４内で逆方向信号が検出されると、前記基地局は、ステップ１２２３へ進行してＡＣＫビットを伝送する。
【００４１】
図１３は、本発明の実施形態による電力制御ビット伝送中断区間で逆方向アクセスを検出した場合、基地局が移動局の逆方向信号に対するＡＣＫメッセージを伝送するための手順を示す。前記基地局は、前記移動局にＡＣＫメッセージを伝送した後すぐ正常モードで動作することもでき、または、図１３に示すように、逆方向プリアンブルに対してＡＣＫメッセージを伝送した後、ＤＲＱを正確に検出すると正常モードで動作することもできる。後者の場合、前記移動局は、逆方向接続過程でプリアンブルのみをまず伝送し、前記基地局からＡＣＫメッセージを正確に受信した場合にのみ、伝送過程でＤＲＱを伝送する。
【００４２】
図１３を参照すると、逆方向信号を検出すると、前記基地局は、ステップ１３０１でＡＣＫビットを伝送した後、ステップ１３０３で、前記移動局からの逆方向ＤＲＱが検出されたか否かを検査する。前記逆方向ＤＲＱを検査すると、ステップ１３１１で、前記基地局は、正常パケットモードで動作する。しかし、前記逆方向ＤＲＱを検査しないと、前記基地局は、ステップ１３０５で、所定の期間Ｔｄ２が前記ＡＣＫビットの伝送開始点から終了したか否かを検査する。ここで、前記期間Ｔｄ２は、前記基地局がＡＣＫビットを伝送する期間を示す。前記所定の期間Ｔｄ２が終了しないと、基地局は、ステップ１３０１へ戻って前記検出された逆方向信号に対するＡＣＫビットをさらに伝送する。しかし、前記期間Ｔｄ２が終了するまでＤＲＱが検出されないと、前記基地局は、ステップ１３０７で、伝送したＡＣＫビットの回数をカウントする。前記カウントされた回数が一定な回数Ｎａｃｋ２を超過すると、前記移動局は、前記基地局からの信号に応答しない場合に対するもので、前記基地局は、ステップ１３０９でパケット呼を廃棄する。しかし、前記カウントされた回数が一定な回数Ｎａｃｋ２を超過しないと、基地局は、移動局から受信される逆方向信号をさらに待機する。その後、基地局はステップ１３０１へ戻って次のステップを反復する。
【００４３】
図１４は、本発明の実施形態による移動局の逆方向伝送に対する伝送方法及びタイミングを示す。図１４を参照すると、伝送するパケットデータが発生すると、移動局は、初期伝送電力Ｐａから時間Ｔｍ２の間ステップ単位Ｐｓで送信電力を少しずつ増加させ、時間Ｔｍ２が経過した後、移動局は、初期伝送電力Ｐａからステップ単位Ｐｓだけずつ送信電力を増加させて逆方向伝送を試みる。逆方向伝送に対するＡＣＫが検出されないか、または、時間Ｔｍ２が所定の回数反復されるまで基地局から伝送したＡＣＫが受信されないと、移動局は、所定時間Ｔｍ３の間逆方向伝送を一時中断した後、パケット呼を廃棄するか、または一定時間が経過した後逆方向伝送をさらに試みる。
【００４４】
図１５は、本発明の実施形態による移動局が逆方向伝送を制御するための装置の構成を示す。図１６は、図１５の装置を制御するための信号を示すもので、図１５に示した装置の動作は、図１６を参照して説明される。
【００４５】
図１５及び図１６を参照すると、断続信号発生器（Ｇａｔｉｎｇ Ｓｉｇｎａｌ Ｇｅｎｅｒａｔｏｒ）１５０１は、逆方向伝送を断続するための制御信号を発生する。前記制御信号が‘１’であると、制御器１５０２は、逆方向電力増幅器（Ｒｅｖｅｒｓｅ Ｐｏｗｅｒ Ａｍｐｌｉｆｉｅｒ）（図示せず）をオンさせる。一方、前記制御信号が‘０’であると、制御器１５０２は、逆方向電力増幅器をオフさせて逆方向伝送を断続させる。前記制御器１５０２は、逆方向電力増幅器の利得を‘０’に設定して逆方向伝送を断続することができる。他の実施形態で、スイッチング素子を利用して伝送信号を断続することもできる。ここで、前記逆方向電力増幅器及び前記スイッチング素子は、逆方向信号を断続するための断続器を構成し、前記断続器は、逆方向信号を伝送するための送信器に含まれる。
【００４６】
図１６に示すパケットモード信号及びＤＲＱ報告指示ビットは、前記断続信号発生器１５０１を制御するための信号である。前記パケットモード信号は、パケット送受信の間‘１’を保持し、パケット送受信の終了後‘０’に落ちる。このとき、前記パケットモード信号‘０’が所定の期間Ｔｍ１の間保持されると、前記断続信号発生器１５０１は、‘１’から‘０’に変更させて逆方向電力増幅器をオフさせる。前記断続信号発生器１５０１から出力された制御信号が‘０’に落ちた後、時間Ｔｓが経過するか、またはＤＲＱ報告指示ビット検出器１５０３によってＤＲＱ報告指示ビットが感知されると、逆方向伝送を遂行するために前記制御信号は、‘１’になる。
【００４７】
移動局が前記ＤＲＱ報告指示ビットによって逆方向伝送を開始する場合について詳細に説明する。前記ＤＲＱ報告指示ビット検出器１５０３は、前記発生した電力増加命令の回数が受信器１５０５を通じて電力制御ビットを監視しているうち回数Ｎｍ１と同一であれば、基地局がＤＲＱの伝送を要請したものであると判断してパルス信号を発生させる。そうすると、前記断続信号発生器１５０１は、制御信号‘１’を発生させる。その後、制御器１５０２は、図３（プリアンブルの使用）または図４（プリアンブルの非使用）の方法でのように、逆方向信号を制御するための逆方向電力制御器を制御する。一方、発生した電力減少命令の数が逆方向伝送に対する所定の数と同一であれば、ＡＣＫビットを受信すると、ＡＣＫビット検出器１５０４は、前記制御器１５０２にパルス信号を提供する。そうすると、前記制御器１５０２は、基地局から受信される電力制御ビットに基づいて逆方向伝送電力を制御するように前記電力増幅器を制御する。
【００４８】
図１７は、本発明の実施形態による移動局が逆方向伝送を制御するための手順を示す。図１７を参照すると、移動局は、ステップ１７０１で基地局からのパケットを受信した後、ステップ１７０３で、パケットの受信が完了したか否かを検査する。パケットの受信が完了すると、移動局は、ステップ１７０５で、他のパケットが受信されたか否かを判断するために、前記移動局は、ステップ１７０５へ進行して、基地局からのプリアンブルが受信されるか否かを検査する。前記プリアンブルが検出されると、前記移動局は、前記ステップ１７０１へ戻って、前記基地局からのパケットを受信する動作を反復する。しかし、プリアンブルが受信されないと、ステップ１７０７へ進行して逆方向伝送を遂行しつつ、移動局はＴ１２５信号をカウントし、ステップ１７０９で、逆方向伝送期間Ｔｍ１が終了したか否かを検査する。前記時間Ｔｍ１が終了しなかったら、前記移動局は、ステップ１７０５へ戻ってプリアンブルが受信されたか否かをさらに検査する。
【００４９】
しかし、前記時間Ｔｍ１が経過すると、前記移動局は、ステップ１７１１へ進行して前記逆方向伝送を中断し、ステップ１７１３へ進行して基地局からＤＲＱの伝送を要求するＤＲＱ報告指示ビットが受信されるか否かを検査する。前記ＤＲＱ報告指示ビットが検出されると、前記移動局は、図１８及び図１９の手順を遂行して逆方向リンクを通じてＤＲＱを伝送する。しかし、前記ＤＲＱ報告指示ビットが検出されないと、前記移動局は、ステップ１７１５へ進行してＴ１２５信号をカウントした後、ステップ１７１７で、所定時間Ｔｓが経過したか否かを検査する。前記時間Ｔｓが経過しなかったら、前記移動局は、ステップ１７１３へ戻ってＤＲＱ報告指示ビットが受信されたかをさらに検査する。一方、前記時間Ｔｓが経過したら、前記移動局は、図１８及び図１９の手順を遂行して逆方向リンクを通じてＤＲＱを伝送する。
【００５０】
図１８は、本発明の実施形態による移動局が逆方向伝送を再開するための手順を示す。前記逆方向伝送は、予め決定された時間区間で、または基地局からの要請によって再開されることもできる。
【００５１】
図１８を参照すると、移動局は、ステップ１８０１で逆方向伝送モードへ進入する。その後、ステップ１８０３で、前記移動局は、逆方向伝送を遂行するために初期送信電力を開ループ電力推定（Ｏｐｅｎ Ｌｏｏｐ Ｐｏｗｅｒ Ｅｓｔｉｍａｔｉｏｎ）による任意の伝送電力Ｐａに設定する。その後、前記移動局は、ステップ１８０５で予め設定されたステップ単位Ｐｓだけずつ送信電力を増加させつつ、スロット単位でプリアンブルまたはＤＲＱを伝送する。前記プリアンブルまたはＤＲＱ伝送を遂行しつつ、前記移動局は、ステップ１８０７で、逆方向伝送に対するＡＣＫビットが受信されるか否かを検査する。前記ＡＣＫビットが検出されると、前記移動局は、ステップ１８１９へ進行して正常パケットモードへ進入して基地局からの電力制御命令に応じて送信電力を制御する。
【００５２】
しかし、前記逆方向伝送に対するＡＣＫビットが検出されないと、前記移動局は、ステップ１８０９でＴ１２５信号をカウントし、その後、ステップ１８１１で所定時間Ｔｍ２が経過したか否かを検査する。ここで、前記時間Ｔｍ２は、逆方向伝送のために予め定められた時間であり、前記移動局は、前記時間Ｔｍ２の間初期電力Ｐａからステップ単位Ｐｓだけずつ増加させつつＤＲＱチャンネルを伝送する。前記時間Ｔｍ２が経過しなかったら、前記移動局は、前記ステップ１８０５へ戻って、送信電力を増加させて前記プリアンブルまたはＤＲＱをさらに伝送するようにする。
【００５３】
反面、前記時間Ｔｍ２が経過したら、ステップ１８１５で、前記移動局は、アクセス試み回数Ｎをカウントした後、前記アクセス試み回数Ｎが所定回数Ｎａｃｃｅｓｓを超過したか否かを検査する。ここで、１つのアクセス試みは、前記時間Ｔｍ２の間の伝送を意味する。すなわち、前記移動局は、前記時間Ｔｍ２の間遂行される伝送回数を検査する。もしも、前記アクセス試み回数Ｎが前記所定回数Ｎａｃｃｅｓｓを超過しないと、前記移動局は、ステップ１８０３に戻って初期電力Ｐａからステップ単位Ｐｓだけずつ伝送電力を増加させつつ逆方向伝送をさらに遂行する。前記アクセス試み回数Ｎが前記所定回数Ｎａｃｃｅｓｓを超過するように、逆方向伝送に対するＡＣＫビットが検出されないと、前記移動局は、ステップ１８１７へ進行して基地局とのパケット呼を廃棄する。
【００５４】
図１９は、本発明の実施形態による図１８の変形された手順を示す。このような手順で、ＡＣＫビットを受信することができなければ、前記移動局は、パケット呼をすぐ廃棄せず、一定の時間Ｔｍ３が経過した後、反復して逆方向伝送を試みる。その後、前記逆方向伝送試みが一定な回数Ｎａｃｃｅｓｓ２だけ反復されると、前記基地局は、パケット呼を廃棄する。
【００５５】
図１９を参照すると、ステップ１９０１乃至ステップ１９１５、及びステップ１９２７は、図１８のステップ１８０１乃至ステップ１８１５、 及びステップ１８１９の動作と同一であるので説明を省略する。前記移動局は、ステップ１９１５で、前記アクセス試み回数Ｎ１が前記所定回数Ｎａｃｃｅｓｓを超過するか否かを検査する。前記アクセス試み回数Ｎ１が前記所定回数Ｎａｃｃｅｓｓを超過する場合、前記移動局は、ステップ１９１７へ進行して、図１４に示したようなＤＲＱまたは伝送区間Ｎ２でのプリアンブルをカウントし、その後、ステップ１９１９で、前記カウントされたＤＲＱまたは伝送区間Ｎ２でのプリアンブル伝送が予め設定された回数Ｎａｃｃｅｓｓ２を超過するか否かを検査する。前記カウントされたＤＲＱまたは伝送区間Ｎ２でのプリアンブル伝送が予め設定された回数Ｎａｃｃｅｓｓ２を超過すると、前記移動局は、ステップ１９２９へ進行して基地局とのパケット通信を放棄する。そうではない場合、前記移動局は、ステップ１９２１で逆方向伝送を一時中断する。その後、前記移動局は、ステップ１９２３で、ＤＲＱの伝送を要請するＤＲＱ報告指示ビットが前記基地局から検出されるか否かを検査する。前記ＤＲＱ報告指示ビットが検出されると、前記移動局は、前記ステップ１９０１へ戻って逆方向伝送をすぐ開始する。一方、ステップ１９２５へ進行して、前記移動局は、伝送中断時間が所定の時間Ｔｍ３を超過したか否かを検査する。伝送中断時間が前記所定の時間Ｔｍ３を超過したら、前記移動局は、前記ステップ１９０１へ戻って逆方向伝送を開始し、そうではなければ、前記ステップ１９２３へ戻って、前記ＤＲＱ報告指示ビットが前記基地局から検出されるかをさらに検査する。
【００５６】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００５７】
【発明の効果】
以上、述べてきたように、本発明は、パケットチャンネルが開いていても、移動局は、伝送するパケットがない区間の間逆方向伝送を一時中断する。その後、移動局は、必要するときのみ逆方向伝送を再開し、これにより、移動局の電力消耗を効果的に減少させる。特に、インターネット検索またはウェブブラウジングのように、パケットチャンネルが開いている状態でパケットデータの伝送が断続的に発生するアプリケーションが使用されるとき非常に大きい効果がある。また、移動局は、逆方向伝送を断続的に遂行することによって移動局間の干渉を最小化して逆方向リンクの容量を増加させることができる。
【図面の簡単な説明】
【図１】従来技術によるパケットデータ伝送方式を適用する移動通信システムで基地局と移動局との間に送受信するパケットデータがないとき、パケット通信に関連した順方向及び逆方向チャンネルの構造を示す図である。
【図２】本発明の実施形態によるパケットデータ伝送方式を適用する移動通信システムで基地局と移動局との間に送受信するパケットデータがないとき、移動局が逆方向伝送を断続的に制御するための順方向及び逆方向チャンネルの構造を示す図である。
【図３】本発明の実施形態による移動局が逆方向伝送を再開するとき基地局が移動局から伝送された信号を正確に感知することができるようにする移動局の伝送方式を示す図である。
【図４】本発明の他の実施形態によるプリアンブルを利用することなく逆方向伝送電力を制御するための方法を示す図である。
【図５】本発明の実施形態による基地局から移動局へ伝送するパケットデータが発生してデータ伝送率を要請する方式を示す図である。
【図６】本発明の実施形態による共通電力制御チャンネルを伝送する順方向リンク送信器の構成を示す図である。
【図７】本発明の実施形態による基地局から移動局へＤＲＱ報告指示ビット及び逆方向伝送に対するＡＣＫ信号を伝送するために共通電力制御チャンネルを使用する方式を示す図である。
【図８】本発明の実施形態による基地局が共通電力制御チャンネル（ＳＰＣＣＨ）を通じて移動局へＤＲＱに対するＡＣＫメッセージ及びＤＲＱ報告指示ビットを伝送するための制御装置の構成を示す図である。
【図９】図８の制御装置を制御するための信号を示す図である。
【図１０】本発明の実施形態による基地局からＤＲＱ報告指示ビット及び逆方向ＤＲＱ伝送に対するＡＣＫビットを伝送するための手順を示す図である。
【図１１】本発明の実施形態による電力制御ビット伝送中断期間でのパケット伝送要請を受信すると、基地局が遂行した手順を示す図である。
【図１２】本発明の実施形態による図１１の変形された手順を示す図である。
【図１３】本発明の実施形態による電力制御ビット伝送中断期間での逆方向アクセスを検出すると、基地局が移動局の逆方向伝送に対するＡＣＫメッセージを伝送するための手順を示す図である。
【図１４】本発明の実施形態による移動局が逆方向伝送に対する伝送方式及びタイミングを示す図である。
【図１５】本発明の実施形態による移動局が逆方向伝送を制御するための装置の構成を示す図である。
【図１６】図１５の装置を制御するための信号を示す図である。
【図１７】本発明の実施形態による移動局が逆方向伝送を制御するための手順を示す図である。
【図１８】本発明の実施形態による移動局が逆方向伝送を再開するための手順を示す図である。
【図１９】本発明の実施形態による図１８の変形された手順を示す図である。
【符号の説明】
４０１    ロングコード発生器
４０２    デシメーター
４０３    相対オフセット計算器
４１１、４２１    マルチプレクサー
４１２、４２２    シンボル反復器
４１３、４２３    信号点写像器
４１４、４２４    利得制御器
４１５、４２５    ウォルシュ拡散器
８０１    制御器
８０２    制御信号発生器
１５０１  断続信号発生器
１５０２  制御器
１５０３  ＤＰＱ報告指示ビット検出器
１５０４  ＡＣＫビット検出器
１５０５  受信器
【国際公開パンフレット】
2004518351.tif 000003
2004518351.tif 000004
2004518351.tif 000005
2004518351.tif 000006
2004518351.tif 000007
2004518351.tif 000008
2004518351.tif 000009
2004518351.tif 000010
2004518351.tif 000011
2004518351.tif 000012
2004518351.tif 000013
2004518351.tif 000014
2004518351.tif 000015
2004518351.tif 000016
2004518351.tif 000017
2004518351.tif 000018
2004518351.tif 000019
2004518351.tif 000020
2004518351.tif 000021
2004518351.tif 000022
2004518351.tif 000023
2004518351.tif 000024
2004518351.tif 000025
2004518351.tif 000026
2004518351.tif 000027
2004518351.tif 000028
2004518351.tif 000029
2004518351.tif 000030
2004518351.tif 000031
2004518351.tif 000032
2004518351.tif 000033
2004518351.tif 000034
2004518351.tif 000035
2004518351.tif 000036
2004518351.tif 000037
2004518351.tif 000038
2004518351.tif 000039
2004518351.tif 000040
2004518351.tif 000041
2004518351.tif 000042
2004518351.tif 000043
2004518351.tif 000044
【国際調査報告】
2004518351.tif 000045
2004518351.tif 000046